(57)【要約】【課題】本発明は、ファイル本体にファイルされた資料の内容が複数の種類に分かれた場合でも、背表紙に主たる見出しを表示する他に、資料内容の種類に応じた複数の小見出しを表示することにより、ファイルされた資料内容の種類の変化に応じて的確に表現できる小見出し付き背表紙を提供する。【解決手段】ファイル本体の背表紙を透明もしくは半透明な素材のカバーで二重に被って二つの隙間を設け、一方の隙間には主たる見出しを差し込み、他方の隙間は複数の仕切りを設けて複数の小見出しを差し込むことができることを特徴とした小見出し付き背表紙。【選択図】図１
2011240695.tif 000002
【特許請求の範囲】
【請求項１】
ファイル本体の背表紙を透明もしくは半透明な素材のカバーで二重に被って二つの隙間を設け、一方の隙間には主たる見出しを差し込み、他方の隙間は複数の仕切りを設けて複数の小見出しを差し込むことができることを特徴とした小見出し付き背表紙。
【発明の詳細な説明】
【技術分野】
【０００１】  本発明は、ファイル本体にファイルされた資料の内容が複数の種類に分かれた場合でも、背表紙に主たる見出しを表示する他に、資料内容の種類に応じた複数の小見出しを表示することにより、ファイルされた資料内容の種類の変化に応じて的確に表現できる小見出し付き背表紙に関するものである。
【背景技術】
【０００２】  従来、ファイル本体の背表紙を透明もしくは半透明なカバーで被い、その隙間の上下端からファイル資料の内容を記載した見出しを差し込み、ファイルの内容を背表紙で視認できるようにしている。この場合、資料の内容が複数の種類に分かれる場合は見出しに全種類の内容を記載する。又、資料の種類が増減する場合は、見出しを修正するか、新しく見出しを作成して差し替えていた。
また、ファイルの表紙外面に複数のポケットを設けたポケット付きファイル（特許文献１）や、ファイルの表紙外面を透明なビニール材で二重にポケットを重ねた二重ポケットファイル（特許文献２）が知られている。
【先行技術文献】
【０００３】
【特許文献１】実開平２−７６０８１号広報
【特許文献２】実開平６−２３７８３号広報
【発明の概要】
【発明が解決しようとする課題】
【０００４】  そのために、次のような問題点があった
（イ）ファイルした資料の内容が複数の種類に分かれている場合は、１枚の見出しに全種類の内容を列挙する必要があった。
（ロ）ファイルしている資料の内容の種類が増減すれば、見出しを差し換えるか修正する必要があるが、差し換えや修正作業が遅れるとファイルされた内容と見出しに食い違いが生じた。
（ハ）見出しを新しく作成、もしくは修正して、古い見出しと差し替える手作業の負担が大きかった。
【課題を解決するための手段】
【０００５】  ファイル本体の背表紙を透明もしくは半透明な素材のカバーで二重に被って二つの隙間を設け、一方の隙間には主たる見出しを差し込み、他方の隙間は複数の仕切りを設けて複数の小見出しを差し込むことができることを特徴とした小見出し付き背表紙。
【発明の効果】
【０００６】  本発明は、ファイル本体の背表紙に差し込む主たる見出しの他に、複数の小見出しも同時に差し込むことができる。したがって、ファイルされた資料の内容が複数の種類に分かれて、且つ増減しても、資料の種類の数に応じた小見出しを差し込むことによりファイルされた資料の内容全体を的確にすばやく表現できる。
また、ファイルされた資料の種類が増減する度に、主たる見出しを修正、もしくは新たに作成して差し換えるわずらわしさが無くなる。
【図面の簡単な説明】
【０００７】
【図１】  本発明の使用状況を示す斜視図
【図２】  本発明の使用状況を示す断面図
【図３】  本発明の実施例２の使用状況を示す斜視図
【図４】  本発明の実施例３の使用状況を示す斜視図
【図５】  本発明の実施例４の使用状況を示す斜視図
【図６】  本発明の実施例５の使用状況を示す斜視図
【図７】  本発明の実施例６の使用状況を示す斜視図
【図８】  本発明の実施例７の使用状況を示す斜視図
【図９】  本発明の実施例８の使用状況を示す斜視図
【図１０】  本発明の実施例９の使用状況を示す斜視図
【発明を実施するための形態】
【実施例１】
【０００８】以下、本発明の実施の形態を図１と図２について説明する。
（イ）ファイル本体（９）の背表紙（１）と同形状からなる透明もしくは半透明な軟質樹脂又はビニール材の大見出しカバー（８）を背表紙（１）に重合する。
（ロ）大見出しカバー（８）は背表紙（１）の左右の縁端と熱溶着等で接着し、背表紙（１）との間の隙間の上端又は下端が開口した大見出し差し込み口（３）を設けて、該大見出し差し込み口（３）から大見出しカード（２）を差し込み自在とする。
（ハ）大見出しカバー（８）の表面を、透明もしくは半透明な軟質樹脂又はビニール材からなる大見出しカバー（８）と同形状の小見出しカバー（５）で被い、小見出しカバー（５）は複数の水平な仕切り部（４）で並列して仕切られ、仕切り部（４）は大見出しカバー（８）の表面と熱溶着等で接着させる。
（ニ）大見出しカバー（８）の表面と小見出しカバー（５）の間の隙間の左右端が開口した複数の小見出し差し込み口（７）を設け、該小見出し差し込み口（７）から小見出しカード（６）を差し込み自在とする。
本発明は、以上の構成より成り立っている。
本発明を使用するときは、ファイル本体（９）にファイルされた資料（１０）の内容に沿った見出しを大見出しカード（２）に記載して、該大見出しカード（２）を大見出し差し込み口（３）から差し込み、二重に重なった透明もしくは半透明な大見出しカバー（８）と小見出しカバー（５）を透視して、大見出しカード（２）に記載された見出しを視認することによりファイル資料（１０）の内容を推測することができる。
ファイル本体（９）にファイルされた資料（１０）の内容が複数の種類に分かれた場合は、それぞれの種類に応じた見出しを小見出しとして複数の小見出しカード（６）にそれぞれ記載し、該小見出しカード（６）を小見出し差し込み口（７）から差し込み、透明もしくは半透明な小見出しカバー（５）を透視して、複数の小見出しカード（６）にそれぞれ記載された小見出しを視認することによりファイルされた資料（１０）の内容の種類と数を推測することができる。又、小見出しカード（６）は大見出しカード（２）の内容を補完して、ファイル本体（９）にファイルされた資料（１０）の内容を的確に表現することができる。
当初より、ファイル本体（９）にファイルされる資料（１０）の内容が複数の種類に分かれている場合は、資料（１０）の内容の全種類の見出しを小見出しとしてそれぞれ複数の小見出しカード（６）にそれぞれ記載して、透明もしくは半透明な小見出しカバー（５）を透視して複数の小見出しカード（６）にそれぞれ記載された小見出しを視認してファイル資料（１０）の内容の種類と数を推測することができる。
ファイル本体（９）の資料（１０）の種類が増えた場合は、増えた資料（１０）の小見出しを記載した小見出しカード（６）を小見出しカバー（５）に差し込み、逆に資料（１０）の種類が減った場合は該当する資料（１０）の小見出しを記載した小見出しカード（６）を小見出しカバー（５）から抜き取ることにより、ファイルされた資料（１０）の内容の種類や数等、内容全体を的確にすばやく表現できる。
【実施例２】
【０００９】以下、本発明の第２実施の形態を図３について説明する。
（イ）ファイル本体（９）の背表紙（１）を透明もしくは半透明な軟質樹脂又はビニール材からなる背表紙（１）と同形状の小見出しカバー（５）で背表紙（１）を被う。
（ロ）小見出しカバー（５）は複数の水平な仕切り部（４）で並列して仕切られ、仕切り部（４）は背表紙（１）の表面と熱溶着等で接着させる。
（ハ）背表紙（１）と水平に仕切った小見出しカバー（５）の間の隙間の左右端が開口した複数の小見出し差し込み口（７）を設け、該小見出し差し込み口（７）から小見出しカード（６）を差し込み自在とする。
本発明は以上の構成から成り立っている。
本発明を使用するときは、ファイル本体（９）にファイルされた資料（１０）の内容が複数の種類に分かれている場合、それぞれの種類に応じた見出しを小見出しとして複数の小見出しカード（６）にそれぞれ記載し、該小見出しカード（６）を小見出し差し込み口（７）から差し込み、透明もしくは半透明な小見出しカバー（５）を透視して複数の小見出しカード（６）にそれぞれ記載された小見出しを視認することによりファイルされた資料（１０）の内容の種類と数を推測することができる。
ファイル本体（９）の資料（１０）の種類が増えた場合は、増えた資料（１０）の小見出しを記載した小見出しカード（６）を小見出しカバー（５）に差し込み、逆に資料（１０）の種類が減った場合は該当する資料（１０）の小見出しを記載した小見出しカード（６）を小見出しカバー（５）から抜き取ることにより、ファイルされた資料（１０）の内容の種類や数等、内容全体を的確にすばやく表現できる。
【実施例３】
【００１０】以下、本発明の第３実施の形態を図４について説明する。
（イ）ファイル本体（９）の背表紙（１）と同形状からなる透明もしくは半透明な軟質樹脂又はビニール材の小見出しカバー（５）で背表紙（１）を被い、更に背表紙（１）と同形状の小見出しカバー（５）をファイル本体（９）の表紙（１１）に背表紙（１）の小見出しカバー（５）に隣接して被う。
（ロ）背表紙（１）及び表紙（１１）を被う小見出しカバー（５）は共に同じ位置で複数の水平な仕切り部（４）で並列して仕切られ、仕切り部（４）は背表紙（１）及び表紙（１１）の表面と熱溶着等で接着させる。
（ハ）背表紙（１）及び表紙（１１）と小見出しカバー（５）の間の隙間の左右端が開口した複数の小見出し差し込み口（７）を設け、該小見出し差し込み口（７）から小見出しカード（６）を差し込み自在とする。
本発明は以上の構成から成り立っている。
本発明を使用するときはファイル本体（９）にファイルされた資料（１０）の内容が複数の種類に分かれている場合、それぞれの種類に応じた見出しを小見出しとして複数の小見出しカード（６）にそれぞれ記載し、該小見出しカード（６）を小見出し差し込み口（７）から差し込み、透明もしくは半透明な小見出しカバー（５）を透視して複数の小見出しカード（６）にそれぞれ記載された小見出しを視認することにより、ファイルされた資料（１０）の内容の種類と数を推測することができる。小見出しを記載した小見出しカード（６）は２枚１組にして作成し、１枚はファイル本体（９）の背表紙（１）の小見出しカバー（５）に差し込み、同時に該小見出しカード（６）を差し込んだ背表紙（１）の小見出しカバー（５）に隣接する表紙（１１）の小見出しカバー（５）に２枚一組のもう一方の１枚を差し込む。書架等からファイル本体（９）を取り出す場合は背表紙（１）の小見出しカバー（５）に差し込まれた小見出しカード（６）に記載された小見出しを視認して選択し、又表紙（１）を上面にして机上等に置かれたファイル本体（９）を開く場合は、視線を背表紙（１）の小見出しカバー（５）まで移さなくても表紙（１１）の小見出しカバー（５）に差し込まれた小見出しカード（６）に記載された小見出しを視認することによりファイル本体（９）にファイルされた資料（１０）の内容を素早く確認することができる。
ファイル本体（９）の資料（１０）の種類が増えた場合は、増えた資料（１０）の小見出しを記載した２枚１組の小見出しカード（６）を隣接する背表紙（１）と表紙（１１）の小見出しカバー（５）にそれぞれ差し込み、逆に資料（１０）の種類が減った場合は該当する資料（１０）の小見出しを記載した２枚１組の小見出しカード（６）を隣接する背表紙（１）と表紙（１１）の小見出しカバー（５）から抜き取ることにより、ファイルされた資料（１０）の内容の種類や数等、内容全体を的確にすばやく表現できる。
【実施例４】
【００１１】以下、本発明の第４実施の形態を図５について説明する。
（イ）ファイル本体（９）の背表紙（１）を透明もしくは半透明な軟質樹脂又はビニール材からなる背表紙（１）と同形状の小見出しカバー（５）で背表紙（１）を被う。
（ロ）小見出しカバー（５）は複数の水平な仕切り部（４）で並列して仕切られ、且つ縦中央の垂直な仕切り部（４）で左右に仕切られる。仕切り部（４）は背表紙（１）の表面と熱溶着等で接着させる。
（ハ）仕切り部（４）で仕切られた複数の小見出しカバー（５）はそれぞれ縦中央の垂直な仕切り部（４）と上下の水平な仕切り部（４）で三方を閉じられており、背表紙（１）の表面と小見出しカバー（５）の間の隙間の右端もしくは左端が開口した複数の小見出し差し込み口（７）を設け、該小見出し差し込み口（７）から小見出しカード（６）を差し込み自在とする。
本発明は以上の構成から成り立っている。
本発明を使用するときは、ファイル本体（９）にファイルされた資料（１０）の内容が複数の種類に分かれている場合、それぞれの種類に応じた見出しを小見出しとして複数の小見出しカード（６）にそれぞれ記載し、該小見出しカード（６）を小見出し差し込み口（７）から差し込み、透明もしくは半透明な小見出しカバー（５）を透視して複数の小見出しカード（６）にそれぞれ記載された小見出しを視認することにより、ファイルされた資料（１０）の内容の種類と数を推測することができる。
ファイルされた資料（１０）の内容の種類が多数に及んだ場合でも、小見出しカバー（５）の縦中央に仕切り部（４）を設けることにより、小見出しカード（６）の収納箇所が増加し、より多くの小見出しカード（６）を収納できる。
ファイル本体（９）の資料（１０）の種類が増えた場合は、増えた資料（１０）の小見出しを記載した小見出しカード（６）を小見出しカバー（５）に差し込み、逆に資料（１０）の種類が減った場合は該当する資料（１０）の小見出しを記載した小見出しカード（６）を小見出しカバー（５）から抜き取ることにより、ファイルされた資料（１０）の内容の種類や数等、内容全体を的確にすばやく表現できる。
【実施例５】
【００１２】以下、本発明の第５実施の形態を図６について説明する。
（イ）ファイル本体（９）の背表紙（１）の中央部に水平な境を設けて上部と下部に分け、背表紙（１）の中央部より上部には上部と同形状からなる透明もしくは半透明な軟質樹脂又はビニール材の大見出しカバー（８）を背表紙（１）の上部に重合する。
（ロ）大見出しカバー（８）は背表紙（１）上部の表面の左右の縁端と熱溶着等で接着し、背表紙（１）上部との間の隙間の上端又は下端が開口した大見出し差し込み口（３）を設けて、該大見出し差し込み口（３）から大見出しカード（２）を差し込み自在とする。
（ハ）背表紙（１）の中央部より下部には下部と同形状からなる透明もしくは半透明な軟質樹脂又はビニール材の小見出しカバー（５）で背表紙（１）の下部を被い、小見出しカバー（５）は複数の水平な仕切り部（４）で並列して仕切られ、仕切り部（４）は背表紙（１）下部の表面と熱溶着等で接着させる。
（ニ）背表紙（１）下部の表面と小見出しカバー（５）の間の隙間の左右端が開口した複数の小見出し差し込み口（７）を設け、該小見出し差し込み口（７）から小見出しカード（６）を差し込み自在とする。
本発明は、以上の構成より成り立っている。
本発明を使用するときは、ファイル本体（９）にファイルされた資料（１０）の内容に沿った見出しを大見出しカード（２）に記載して、該大見出しカード（２）を大見出し差し込み口（３）から差し込み、透明もしくは半透明な大見出しカバー（８）を透視して、大見出しカード（２）に記載された見出しを視認することによりファイル資料（１０）の内容を推測することができる。
ファイル本体（９）にファイルされた資料（１０）の内容が複数の種類に分かれた場合は、それぞれの種類に応じた見出しを小見出しとして複数の小見出しカード（６）にそれぞれ記載し、該小見出しカード（６）を小見出し差し込み口（７）から差し込み、透明もしくは半透明な小見出しカバー（５）を透視して、複数の小見出しカード（６）にそれぞれ記載された小見出しを視認することによりファイルされた資料（１０）の内容の種類と数を推測することができる。又、小見出しカード（６）は大見出しカード（２）の内容を補完して、ファイル本体（９）にファイルされた資料（１０）の内容を的確に表現することができる。
当初より、ファイル本体（９）にファイルされる資料（１０）の内容が複数の種類に分かれている場合は、資料（１０）の内容の全種類をそれぞれ小見出しとしてそれぞれ複数の小見出しカード（６）にそれぞれ記載して、透明もしくは半透明な小見出しカバー（５）を透視して複数の小見出しカード（６）にそれぞれ記載された小見出しを視認してファイル資料（１０）の内容の種類と数を推測することができる。
ファイル本体（９）の資料（１０）の種類が増えた場合は、増えた資料（１０）の小見出しを記載した小見出しカード（６）を小見出しカバー（５）に差し込み、逆に資料（１０）の種類が減った場合は該当する資料（１０）の小見出しを記載した小見出しカード（６）を小見出しカバー（５）から抜き取ることにより、ファイルされた資料（１０）の内容の種類や数等、内容全体を的確にすばやく表現できる。
【実施例６】
【００１３】以下、本発明の第６実施の形態を図７について説明する。
（イ）ファイル本体（９）の背表紙（１）と同形状からなる透明もしくは半透明な軟質樹脂又はビニール材の大見出しカバー（８）を背表紙（１）に重合する。
（ロ）大見出しカバー（８）は背表紙（１）の左右の縁端と熱溶着等で接着し、背表紙（１）との間の隙間の上端又は下端が開口した大見出し差し込み口（３）を設けて、該大見出し差し込み口（３）から大見出しカード（２）を差し込み自在とする。
（ハ）大見出しカバー（８）の表面に、透明もしくは半透明な軟質樹脂又はビニール材からなる複数の小見出しポケット（１２）を縦に配列し、小見出しポケット（１２）は小見出しポケット（１２）の左右の縁端と底辺の三方の縁辺を大見出しカバー（８）の表面と熱溶着等で接着させ袋状とする。
（ニ）大見出しカバー（８）の表面と小見出しポケット（１２）の間の隙間の上端が開口した複数の小見出しポケット差し込み口（１３）を設け、該小見出しポケット差し込み口（１３）から小見出しカード（６）を差し込み自在とする。
本発明は、以上の構成より成り立っている。
本発明を使用するときは、ファイル本体（９）にファイルされた資料（１０）の内容に沿った見出しを大見出しカード（２）に記載して、該大見出しカード（２）を大見出し差し込み口（３）から差し込み、二重に重なった透明もしくは半透明な大見出しカバー（８）と小見出しポケット（１２）を透視して、大見出しカード（２）に記載された見出しを視認することによりファイル資料（１０）の内容を推測することができる。
ファイル本体（９）にファイルされた資料（１０）の内容が複数の種類に分かれた場合は、それぞれの種類に応じた見出しを小見出しとして複数の小見出しカード（６）にそれぞれ記載し、該小見出しカード（６）を小見出しポケット差し込み口（１３）から差し込み、透明もしくは半透明な小見出しポケット（１２）を透視して、複数の小見出しカード（６）にそれぞれ記載された小見出しを視認することによりファイルされた資料（１０）の内容の種類と数を推測することができる。又、小見出しカード（６）は大見出しカード（２）の内容を補完して、ファイル本体（９）にファイルされた資料（１０）の内容を的確にすばやく表現することができる。
当初より、ファイル本体（９）にファイルされる資料（１０）の内容が複数の種類に分かれている場合は、資料（１０）の内容の全種類をそれぞれ小見出しとしてそれぞれ複数の小見出しカード（６）にそれぞれ記載して、透明もしくは半透明な小見出しポケット（１２）を透視して複数の小見出しカード（６）にそれぞれ記載された小見出しを視認してファイル資料（１０）の内容の種類と数を推測することができる。
ファイル本体（９）の資料（１０）の種類が増えた場合は、増えた資料（１０）の小見出しを記載した小見出しカード（６）を小見出しポケット（１２）に差し込み、逆に資料（１０）の種類が減った場合は該当する資料（１０）の小見出しを記載した小見出しカード（６）を小見出しポケット（１２）から抜き取ることにより、ファイルされた資料（１０）の内容の種類や数等、内容全体を的確にすばやく表現できる。
【実施例７】
【００１４】以下、本発明の第７実施の形態を図８について説明する。
（イ）ファイル本体（９）の背表紙（１）に、透明もしくは半透明な軟質樹脂又はビニール材からなる複数の小見出しポケット（１２）を縦に配列し、小見出しポケット（１２）は小見出しポケット（１２）の左右の縁端と底辺の三方の縁辺を背表紙（１）の表面と熱溶着等で接着させ袋状とする。
（ロ）背表紙（１）と小見出しポケット（１２）の間の隙間の上端が開口した複数の小見出しポケット差し込み口（１３）を設け、該小見出しポケット差し込み口（１３）から小見出しカード（６）を差し込み自在とする。
本発明は、以上の構成より成り立っている。
本発明を使用するときは、ファイル本体（９）にファイルされた資料（１０）の内容が複数の種類に分かれている場合、それぞれの種類に応じた見出しを小見出しとして複数の小見出しカード（６）にそれぞれ記載し、該小見出しカード（６）を小見出しポケット差し込み口（１３）から差し込み、透明もしくは半透明な小見出しポケット（１２）を透視して複数の小見出しカード（６）にそれぞれ記載された小見出しを視認することにより、ファイルされた資料（１０）の内容の種類と数を推測することができる。
ファイル本体（９）の資料（１０）の種類が増えた場合は、増えた資料（１０）の小見出しを記載した小見出しカード（６）を小見出しポケット（１２）に差し込み、逆に資料（１０）の種類が減った場合は該当する資料（１０）の小見出しを記載した小見出しカード（６）を小見出しポケット（１２）から抜き取ることにより、ファイルされた資料（１０）の内容の種類や数等、内容全体を的確にすばやく表現できる。
【実施例８】
【００１５】以下、本発明の第８実施の形態を図９について説明する。
（イ）ファイル本体（９）の背表紙（１）の中央部に水平な境を設けて上部と下部に分け、背表紙（１）の中央部より上部には上部と同形状からなる透明もしくは半透明な軟質樹脂又はビニール材の大見出しポケット（１４）を背表紙（１）の上部に重合する。
（ロ）大見出しポケット（１４）の左右の縁端と底辺の三方の縁辺を背表紙（１）上部の表面と熱溶着等で接着させて袋状とし、背表紙（１）上部の表面との間の隙間の上端が開口した大見出しポケット差し込み口（１５）を設けて、該ポケット差し込み口（１５）から大見出しカード（２）を差し込み自在とする。
（ハ）背表紙（１）の中央部より下部には、透明もしくは半透明な軟質樹脂又はビニール材からなる複数の小見出しポケット（１２）を縦に配列し、小見出しポケット（１２）は小見出しポケット（１２）の左右の縁端と底辺の三方の縁辺を背表紙（１）下部の表面と熱溶着等で接着させ袋状とする。
（ニ）背表紙（１）下部の表面と小見出しポケット（１２）の間の隙間の上端が開口した複数の小見出しポケット差し込み口（１３）を設け、該小見出しポケット差し込み口（１３）から小見出しカード（６）を差し込み自在とする。
本発明は、以上の構成より成り立っている。
本発明を使用するときは、ファイル本体（９）にファイルされた資料（１０）の内容に沿った見出しを大見出しカード（２）に記載して、該大見出しカード（２）を大見出しポケット差し込み口（１５）から差し込み、透明もしくは半透明な大見出しポケット（１４）を透視して、大見出しカード（２）に記載された見出しを視認することによりファイル資料（１０）の内容を推測することができる。
ファイル本体（９）にファイルされた資料（１０）の内容が複数の種類に分かれた場合は、それぞれの種類に応じた見出しを小見出しとして複数の小見出しカード（６）にそれぞれ記載し、該小見出しカード（６）を小見出しポケット差し込み口（１３）から差し込み、透明もしくは半透明な小見出しポケット（１２）を透視して、複数の小見出しカード（６）にそれぞれ記載された小見出しを視認することによりファイルされた資料（１０）の内容の種類と数を推測することができる。又、小見出しカード（６）は大見出しカード（２）の内容を補完して、ファイル本体（９）にファイルされた資料（１０）の内容を的確に表現することができる。
当初より、ファイル本体（９）にファイルされる資料（１０）の内容が複数の種類に分かれている場合は、資料（１０）の内容の全種類をそれぞれ小見出しとしてそれぞれ複数の小見出しカード（６）にそれぞれ記載して、透明もしくは半透明な小見出しポケット（１２）を透視して複数の小見出しカード（６）にそれぞれ記載された小見出しを視認してファイル資料（１０）の内容の種類と数を推測することができる。
ファイル本体（９）の資料（１０）の種類が増えた場合は、増えた資料（１０）の小見出しを記載した小見出しカード（６）を小見出しポケット（１２）に差し込み、逆に資料（１０）の種類が減った場合は該当する資料（１０）の小見出しを記載した小見出しカード（６）を小見出しポケット（１２）から抜き取ることにより、ファイルされた資料（１０）の内容の種類や数等、内容全体を的確にすばやく表現できる。
【実施例９】
【００１６】以下、本発明の第９実施の形態を図１０について説明する。
（イ）ファイル本体（９）の背表紙（１）に、透明もしくは半透明な軟質樹脂又はビニール材からなる複数の小見出しポケット（１２）を縦に配列し、更にファイル本体（９）の表紙（１１）にも同形状で同数の小見出しポケット（１２）を背表紙（１）の小見出しポケット（１２）に隣接して設置する。
（ロ）小見出しポケット（１２）は小見出しポケット（１２）の左右の縁端と底辺の三方の縁辺を背表紙（１）及び表紙（１１）の表面と熱溶着等で接着させ袋状とする。
（ハ）背表紙（１）及び表紙（１１）と小見出しポケット（１２）の間の隙間の上端が開口した複数の小見出しポケット差し込み口（１３）を設け、該小見出しポケット差し込み口（１３）から小見出しカード（６）を差し込み自在とする。
本発明は以上の構成から成り立っている。
本発明を使用するときはファイル本体（９）にファイルされた資料（１０）の内容が複数の種類に分かれている場合、それぞれの種類に応じた見出しを小見出しとして複数の小見出しカード（６）にそれぞれ記載し、該小見出しカード（６）を小見出しポケット差し込み口（１３）から差し込み、透明もしくは半透明な小見出しポケット（１２）を透視して複数の小見出しカード（６）にそれぞれ記載された小見出しを視認することにより、ファイルされた資料（１０）の内容の種類と数を推測することができる。小見出しを記載した小見出しカード（６）は２枚１組にして作成し、１枚はファイル本体（９）の背表紙（１）の小見出しポケット（１２）に差し込み、同時に該小見出しカード（６）を差し込んだ背表紙（１）の小見出しポケット（１２）に隣接する表紙（１１）の小見出しポケット（１２）に２枚１組のもう一方の１枚を差し込む。書架等からファイル本体（９）を取り出す場合は背表紙（１）の小見出しポケット（１２）に差し込まれた小見出しカード（６）に記載された小見出しを視認して選択し、又表紙（１）を上面にして机上等に置かれたファイル本体（９）を開く場合は視線を背表紙（１）の小見出しポケット（１２）まで移さなくても表紙（１１）の小見出しポケット（１２）に差し込まれた小見出しカード（６）に記載された小見出しを視認することにより、ファイル本体（９）にファイルされた資料（１０）の内容をすばやく推測することができる。
ファイル本体（９）の資料（１０）の種類が増えた場合は、増えた資料（１０）の小見出しを記載した２枚１組の小見出しカード（６）を隣接する背表紙（１）と表紙（１１）の小見出しポケット（１２）にそれぞれ差し込み、逆に資料（１０）の種類が減った場合は該当する資料（１０）の小見出しを記載した２枚１組の小見出しカード（６）を隣接する背表紙（１）と表紙（１１）の小見出しポケット（１２）から抜き取ることにより、ファイルされた資料（１０）の内容の種類や数等、内容全体を的確にすばやく表現できる。
【符号の説明】
【００１７】  １  背表紙
２  大見出しカード
３  大見出し差し込み口
４  仕切り部
５  小見出しカバー
６  小見出しカード
７  小見出し差し込み口
８  大見出しカバー
９  ファイル本体
１０  資料
１１  表紙
１２  小見出しポケット
１３  小見出しポケット差し込み口
１４  大見出しポケット
１５  大見出しポケット差し込み口
【図１】
2011240695.tif 000003
【図２】
2011240695.tif 000004
【図３】
2011240695.tif 000005
【図４】
2011240695.tif 000006
【図５】
2011240695.tif 000007
【図６】
2011240695.tif 000008
【図７】
2011240695.tif 000009
【図８】
2011240695.tif 000010
【図９】
2011240695.tif 000011
【図１０】
2011240695.tif 000012